(57)【特許請求の範囲】
【請求項１】
格納状態にある第１位置と引出状態にある第２位置との間で出し入れ可能な遮光用の第１サンバイザ本体と、
前記第１サンバイザ本体に対して相対移動可能に配置され、前記格納状態では前記第１位置と重なる第３位置に保持され、前記引出状態では前記第２位置と重なる位置から引出方向にずれた第４位置に保持される遮光用の第２サンバイザ本体と、
前記第１サンバイザ本体の前記第２位置の方向への移動時に前記第１サンバイザ本体の移動に連動させて前記第２サンバイザ本体を前記第４位置へ移動させ、前記第１サンバイザ本体の前記第１位置の方向への移動時に前記第１サンバイザ本体の移動に連動させて前記第２サンバイザ本体を前記第３位置へ移動させる連動手段と、
を有し、
前記連動手段は、
前記第１サンバイザ本体に一端部が接続され、前記第２サンバイザ本体を引出方向へ付勢する付勢手段と、
前記第２サンバイザ本体に一方端部が取り付けられ、中間部が前記第１サンバイザ本体の一部に相対移動可能に支持され、他方端部が前記第２サンバイザ本体に対して引出方向側及び格納方向側に相対移動可能とされる移動部材と、
前記第１サンバイザ本体の前記第１位置の方向への移動時に前記移動部材の前記他方端部の移動を阻止して前記他方端部を前記第２サンバイザ本体に対して相対移動させる移動阻止手段と、
を備えることを特徴とするサンバイザ装置。
【請求項２】
前記移動部材は、前記中間部がテープ状とされて前記第２サンバイザ本体の格納方向に延在すると共に前記第１サンバイザ本体を貫通して折り返されることを特徴とする請求項１記載のサンバイザ装置。
【発明の詳細な説明】
【技術分野】
【０００１】
本発明は、乗員の前方等に配置される遮光用のサンバイザ本体を備えたサンバイザ装置に関する。
【背景技術】
【０００２】
サンバイザ装置においては、簡単な構成でかつ操作の容易化を図るために、スライドによりサンバイザ本体を引き出し可能としている場合がある（例えば、特許文献１参照）。このようなスライド引出し式では、格納状態でのサンバイザ本体の長さがそのまま引出状態での遮光部分の長さとなっている。
【０００３】
このため、この従来のサンバイザ装置では、遮光範囲を広くするためには、長いサンバイザ本体を格納できる広い格納スペースが必要になる。
【特許文献１】特開平８−２２５１号公報
【発明の開示】
【発明が解決しようとする課題】
【０００４】
本発明は、上記事実を考慮して、簡単な構成により狭い格納スペースでも広い遮光範囲を確保できるサンバイザ装置を提供することを課題とする。
【課題を解決するための手段】
【０００５】
請求項１に記載する本発明のサンバイザ装置は、格納状態にある第１位置と引出状態にある第２位置との間で出し入れ可能な遮光用の第１サンバイザ本体と、前記第１サンバイザ本体に対して相対移動可能に配置され、前記格納状態では前記第１位置と重なる第３位置に保持され、前記引出状態では前記第２位置と重なる位置から引出方向にずれた第４位置に保持される遮光用の第２サンバイザ本体と、前記第１サンバイザ本体の前記第２位置の方向への移動時に前記第１サンバイザ本体の移動に連動させて前記第２サンバイザ本体を前記第４位置へ移動させ、前記第１サンバイザ本体の前記第１位置の方向への移動時に前記第１サンバイザ本体の移動に連動させて前記第２サンバイザ本体を前記第３位置へ移動させる連動手段と、を有し、前記連動手段は、前記第１サンバイザ本体に一端部が接続され、前記第２サンバイザ本体を引出方向へ付勢する付勢手段と、前記第２サンバイザ本体に一方端部が取り付けられ、中間部が前記第１サンバイザ本体の一部に相対移動可能に支持され、他方端部が前記第２サンバイザ本体に対して引出方向側及び格納方向側に相対移動可能とされる移動部材と、前記第１サンバイザ本体の前記第１位置の方向への移動時に前記移動部材の前記他方端部の移動を阻止して前記他方端部を前記第２サンバイザ本体に対して相対移動させる移動阻止手段と、を備えることを特徴とする。
【０００６】
請求項１に記載する本発明のサンバイザ装置によれば、遮光用の第１サンバイザ本体は、格納状態にある第１位置と引出状態にある第２位置との間で出し入れ可能となっており、遮光用の第２サンバイザ本体は、第１サンバイザ本体に対して相対移動可能に配置され、格納状態では第１位置と重なる第３位置に保持され、引出状態では第２位置と重なる位置から引出方向にずれた第４位置に保持されるので、格納時には、第１サンバイザ本体の第１位置と第２サンバイザ本体の第３位置とが、重なって配置され、引出時には、第２サンバイザ本体が、第１サンバイザ本体の第２位置と重なる位置から引出方向にずれる第４位置に配置される。ここで、連動手段が、第１サンバイザ本体の第２位置の方向への移動時に第１サンバイザ本体の移動に連動させて第２サンバイザ本体を第４位置へ移動させ、第１サンバイザ本体の第１位置の方向への移動時に第１サンバイザ本体の移動に連動させて第２サンバイザ本体を第３位置へ移動させるので、簡単な構成により第２サンバイザ本体を適正な位置に配置させることができる。
【０００８】
連動手段は、付勢手段、移動部材、及び移動阻止手段を備えている。付勢手段は、第１サンバイザ本体に一端部が接続されて第２サンバイザ本体を引出方向へ付勢しており、移動部材は、他方端部が第２サンバイザ本体に対して引出方向側及び格納方向側に相対移動可能となっているので、第１サンバイザ本体の第２位置の方向への移動時には、第２サンバイザ本体は、付勢手段によって付勢されて第４位置へ移動する。また、第１サンバイザ本体の第１位置の方向への移動時には、移動阻止手段が移動部材の他方端部の移動を阻止して他方端部を第２サンバイザ本体に対して相対移動させるので、第２サンバイザ本体は、第３位置へ移動する。これらにより、第１サンバイザ本体の移動に連動させて第２サンバイザ本体を適正な位置に配置させることができる。
【０００９】
請求項２に記載する本発明のサンバイザ装置は、請求項１記載の構成において、前記移動部材は、前記中間部がテープ状とされて前記第２サンバイザ本体の格納方向に延在すると共に前記第１サンバイザ本体を貫通して折り返されることを特徴とする。
【００１０】
請求項２に記載する本発明のサンバイザ装置によれば、移動部材は、中間部がテープ状とされて第２サンバイザ本体の格納方向に延在すると共に第１サンバイザ本体を貫通して折り返されるので、第１サンバイザ本体の第２位置の方向への移動時には、移動部材の一方端部側が引出方向へ引出可能となり、第２サンバイザ本体は、付勢手段によって付勢されて第４位置へ移動する。また、第１サンバイザ本体の第１位置の方向への移動時には、移動阻止手段が移動部材の他方端部の移動を阻止して他方端部を第２サンバイザ本体に対して相対移動させ、移動部材が第２サンバイザ本体を引っ張って第３位置へ移動させる。これらにより、第１サンバイザ本体の移動に連動させて第２サンバイザ本体を適正な位置に配置させることができる。
【発明の効果】
【００１１】
以上説明したように、本発明のサンバイザ装置によれば、簡単な構成により狭い格納スペースでも広い遮光範囲を確保できるという優れた効果を有する。
【発明を実施するための最良の形態】
【００１２】
（実施形態の構成）
本発明におけるサンバイザ装置の実施形態を図面に基づき説明する。なお、図中の矢印ＵＰは車両の上方向、矢印ＦＲは車両の前方向を示す。
【００１３】
図１は、運転席上方における車両天井部１０の概略垂直断面図であり、図中の下側が乗員室１００側である。図１に示されるように、車両のルーフ部は、ルーフパネル１２を備えている。ルーフパネル１２の前端部（車両の前方部）には、ルーフフロントクロスメンバ１４がルーフパネル１２の車両幅方向（紙面に垂直な方向）に沿って配置されている。ルーフパネル１２の前端部に設けられた段部１２Ａには、フロントウインドガラス１６が接着されている。ルーフパネル１２及びルーフフロントクロスメンバ１４の乗員室１００側には、成形天井１８が配置されている。成形天井１８は、比較的硬質の合成樹脂材を成形することで形成されており、ルーフパネル１２やルーフフロントクロスメンバ１４等の車体構造部材に装着されている。
【００１４】
成形天井１８とルーフパネル１２との間には、中空の収容室１９が形成されており、収容室１９内には、スライド引出し式のサンバイザ装置２０が配設されている。図４に示されるように、サンバイザ装置２０は、遮光用の第１サンバイザ本体３０、第１サンバイザ本体３０に対して相対移動可能に配置された遮光用の第２サンバイザ本体４０、第１サンバイザ本体３０を移動させるための駆動機構部２２、及び、第１サンバイザ本体３０を所定位置方向へ導くために天板部５２の両側がレール状とされたガイド５０を含んで構成されている。
【００１５】
図５に示されるように、駆動機構部２２は、駆動モータ２４を備えている。駆動モータ２４は、ガイド５０の側板部５６に固定されたＬ字状のブラケット６０に取り付けられており、図示しない回路に接続され、図示しないスイッチによって正転、逆転可能とされている。この駆動モータ２４には、駆動用シャフト２６の一端部が接続され、駆動用シャフト２６には、軸方向の両側寄りに一対のピニオン２８が取り付けられている。ピニオン２８は、ガイド５０における天板部５２に貫通形成された貫通孔５２Ａを貫通し、第１サンバイザ本体３０のラック３１と噛み合うようになっている。
【００１６】
また、ラック３１は、サンバイザ装置２０の幅方向である装置幅方向（矢印２０Ｗ方向（サンバイザ装置２０の組付状態では、車幅方向と同じ方向））に直交する方向（以下、「装置前後方向」という（矢印２０Ｚ方向）。）に延びており、天板部５２（ガイド５０）において、ラック３１の対向部には、装置前後方向（矢印２０Ｚ方向）に延びる直線状の溝部５２Ｂが形成されている。この溝部５２Ｂの幅寸法は、ラック３１の幅寸法に比べて僅かに大きく、溝部５２Ｂの深さ寸法は、ラック３１の遮光板部３４からの高さ寸法に比べて僅かに大きく設定されている。これにより、ラック３１がガイド５０における天板部５２に当らないようになっている。
【００１７】
第１サンバイザ本体３０は、駆動モータ２４の駆動力で駆動用シャフト２６に取り付けられたピニオン２８が回転することによって、格納状態にある第１位置３０Ｘ（図１及び図３参照）と引出状態にある第２位置３０Ｙ（図２及び図４参照）との間で出し入れ可能とされている。
【００１８】
第１サンバイザ本体３０を所定位置方向（第１位置３０Ｘへの方向及び第２位置３０Ｙへの方向）へ導くガイド５０は、図１に示されるように、前端部５０Ａが成形天井１８の前方（矢印ＦＲ方向）側に貫通形成された貫通孔１８Ａの内側に配置されており、全体として車両の後側上方に向かって斜めに配置されている。図５に示されるように、ガイド５０は、平板状の天板部５２における装置幅方向（矢印２０Ｗ方向）の両側が下方へ屈曲されると共に折り返されて略コ字状とされたガイド部５４を備えている。ガイド部５４は、第１サンバイザ本体３０の装置幅方向（矢印２０Ｗ方向）への変位を制限する側板部５６と、天板部５２と平行に延在されて第１サンバイザ本体３０を下方から支持する底板部５８とを備えている。
【００１９】
側板部５６の内側からは、板状のストッパ５７が延出されており、図４に示されるように、第１サンバイザ本体３０が引き出された状態では、第１サンバイザ本体３０の後端両側部から張り出した張出部３２がストッパ５７に当って第１サンバイザ本体３０の移動ストロークを制限するようになっている。ここで、張出部３２がストッパ５７に当った状態における第１サンバイザ本体３０の位置は、引出状態にある第２位置３０Ｙとなっている。
【００２０】
図５に示されるように、第１サンバイザ本体３０は、平板状とされた遮光用の遮光板部３４を備えている。遮光板部３４における装置幅方向（矢印２０Ｗ方向）の両側は、下方へ屈曲されると共に折り返されており、略コ字状とされたガイド部３５となっている。ガイド部３５は、第２サンバイザ本体４０の装置幅方向（矢印２０Ｗ方向）への変位を制限する側板部３５Ａと、遮光板部３４と平行に延在されて第２サンバイザ本体４０を下方から支持する底板部３５Ｂとを備えている。
【００２１】
図３及び図４に示されるように、第２サンバイザ本体４０は、装置幅方向（矢印２０Ｗ方向）の両側が第１サンバイザ本体３０のガイド部３５内に差し込まれ、第１サンバイザ本体３０に対して相対移動可能に配置されている。第２サンバイザ本体４０は、拡張用サンバイザとして機能し、図１及び図３に示されるように、格納状態では第１サンバイザ本体３０の第１位置３０Ｘと重なる第３位置４０Ｘに保持され（本実施形態では、第１サンバイザ本体３０の遮光板部３４と第２サンバイザ本体４０とが平行に重なった状態で保持され）、図２及び図４に示されるように、引出状態では第１サンバイザ本体３０の第２位置３０Ｙと重なる位置から引出方向（矢印２０Ｙ方向）にずれた第４位置４０Ｙに保持されている。
【００２２】
図５に示されるように、第１サンバイザ本体３０の側板部３５Ａにおける装置前後方向（矢印２０Ｚ方向）の中央部から後端部（張出部３２側）にかけては、側板部３５Ａの長手方向に沿って延び、装置幅方向（矢印２０Ｗ方向）に貫通された長孔３６が形成されている。この長孔３６内には、装置幅方向（矢印２０Ｗ方向）を軸方向とするピン４２が挿入され、ピン４２の一端部は、第２サンバイザ本体４０の後端両側部の取付穴４０Ａに挿通されて取り付けられている。
【００２３】
これによって、図７に示されるように、第２サンバイザ本体４０が引き出された状態では、ピン４２が長孔３６の前端部３６Ａと当って第２サンバイザ本体４０の移動ストロークを制限するようになっている。ピン４２が長孔３６の前端部３６Ａと当った状態における第２サンバイザ本体４０の位置は、引出状態にある第４位置４０Ｙとなっている。また、図６に示されるように、第２サンバイザ本体４０が格納された状態では、ピン４２が長孔３６の後端部３６Ｂと当っており、第２サンバイザ本体４０の装置後方への移動ストロークを制限するようになっている。ピン４２が長孔３６の後端部３６Ｂと当った状態における第２サンバイザ本体４０の位置は、格納状態にある第３位置４０Ｘとなっている。
【００２４】
図５に示されるように、第１サンバイザ本体３０における側板部３５Ａの前部寄りには、装置幅方向（矢印２０Ｗ方向）の外側へ突出したピン状の凸部３５Ｃが形成されている。第１サンバイザ本体３０の凸部３５Ｃには、付勢手段としての引張コイルスプリング６２の一端部６２Ａが係止により接続されており、この引張コイルスプリング６２の他端部６２Ｂは、第２サンバイザ本体４０のピン４２に係止により接続されている。図７に示されるように、引張コイルスプリング６２は、ピン４２を第１サンバイザ本体３０の長孔３６に沿って引っ張ることで第２サンバイザ本体４０を引出方向（矢印２０Ｙ方向）へ付勢している。
【００２５】
なお、第１サンバイザ本体３０の凸部３５Ｃ及び第２サンバイザ本体４０のピン４２は、第１サンバイザ本体３０における側板部３５Ａを基準にした装置幅方向（矢印２０Ｗ方向）の外側へ突出量が第１サンバイザ本体３０の張出部３２の突出量に比べて小さく設定されており、図３及び図４に示されるように、第１サンバイザ本体３０及び第２サンバイザ本体４０の作動時にピン４２や引張コイルスプリング６２がガイド５０のストッパ５７に当らないようになっている。
【００２６】
図５に示されるように、第２サンバイザ本体４０の略中央部には、装置幅方向（矢印２０Ｗ方向）に延びる矩形状のスリット４４が形成されている。スリット４４には、長尺移動部材６４の一方端部としての係止片部６４Ａが係止されて取り付けられている。係止片部６４Ａは、金属等で形成されて薄板Ｌ字状とされ、スリット４４内に挿入されることで係止されるようになっている。
【００２７】
長尺移動部材６４の中間部としてのテープ部６４Ｂは、細幅のテープ状（長尺状）とされ、図７に示されるように、第２サンバイザ本体４０の格納方向（矢印２０Ｘ方向）に延在すると共に、第１サンバイザ本体３０の貫通孔３４Ａを貫通して折り返されている。ここで、長尺移動部材６４の他方端部としてのスライド片部６４Ｃは、第１サンバイザ本体３０に固定されておらず、テープ部６４Ｂは、第１サンバイザ本体３０の一部である貫通孔３４Ａの縁部に相対移動可能に支持されている。第１サンバイザ本体３０の貫通孔３４Ａは、遮光板部３４における装置幅方向（矢印２０Ｗ方向）の略中央部の後方寄り部位に貫通形成されており、長尺移動部材６４のテープ部６４Ｂが折り返し状態で移動できる程度の大きさとなっている。
【００２８】
長尺移動部材６４のスライド片部６４Ｃは、テープ部６４Ｂに比べてやや幅狭であって装置上下方向の上向きに屈曲されており、第１サンバイザ本体３０における遮光板部３４の上面部３４Ｂに沿って移動可能とされている。すなわち、第１サンバイザ本体３０における遮光板部３４の上面部３４Ｂ側には、貫通孔３４Ａよりも前方側において、装置前後方向（矢印２０Ｚ方向）に延在するガイドレール３８が形成されており、スライド片部６４Ｃ及びテープ部６４Ｂは、このガイドレール３８に沿って第２サンバイザ本体４０に対して引出方向（矢印２０Ｙ方向）側及び格納方向（矢印２０Ｘ方向）側に相対移動可能となっている。
【００２９】
ガイドレール３８は、平面視で略Ｕ字形状とされ、互いに平行な一対の直線部３８Ａは、上部が互いに接近する断面Ｌ字状とされている。これにより、長尺移動部材６４におけるテープ部６４Ｂの幅方向両側部は、上方及び側方において直線部３８Ａによって移動範囲を制限されるようになっている。また、ガイドレール３８は、遮光板部３４を基準としたスライド片部６４Ｃの上方への突出寸法に比べて高さ寸法が小さく、かつ、一対の直線部３８Ａの上部間の寸法がスライド片部６４Ｃの幅寸法に比べてやや大きく設定されている。これにより、長尺移動部材６４におけるスライド片部６４Ｃは、一対の直線部３８Ａ間から上方へ突出するようになっている。
【００３０】
ガイドレール３８における後端部３８Ｂは、スライド片部６４Ｃの移動ストロークを制限するストッパとして機能し、スライド片部６４Ｃが後端部３８Ｂに当ることで、第２サンバイザ本体４０の移動ストロークが制限される。後端部３８Ｂの下部（遮光板部３４寄りの部分）には、貫通部（図示省略）が装置前後方向（矢印２０Ｚ方向）に貫通形成されて長尺移動部材６４のテープ部６４Ｂが移動可能に挿通されている。
【００３１】
図５に示されるように、ガイド５０の天板部５２において、ガイドレール３８の対向部には、装置幅方向（矢印２０Ｗ方向）の略中央部に装置前後方向（矢印２０Ｚ方向）に延びる溝部５２Ｃが形成されている。この溝部５２Ｃの幅寸法は、ガイドレール３８の幅寸法に比べて僅かに大きく、溝部５２Ｃの深さ寸法は、ガイドレール３８の遮光板部３４からの高さ寸法に比べて僅かに大きく設定されている。これにより、第１サンバイザ本体３０の移動時にガイドレール３８がガイド５０における天板部５２に当らないようになっている。
【００３２】
第１サンバイザ本体３０の上方とされるガイド５０の天板部５２には、装置幅方向（矢印２０Ｗ方向）の略中央部の前部に、装置後方へ向けて矩形状に切り欠かれた切欠部５３が形成されている。切欠部５３と溝部５２Ｃとは、平面視で連続しており、切欠部５３における幅は、第１サンバイザ本体３０におけるガイドレール３８が移動できる幅に設定されている。
【００３３】
切欠部５３は、移動阻止手段としての当接面部５３Ａを備えている。当接面部５３Ａは、装置前方向きの面部とされ、図４に示される第１サンバイザ本体３０の第１位置３０Ｘ（図３参照）の方向への移動時に長尺移動部材６４のスライド片部６４Ｃと当接することでスライド片部６４Ｃの移動を阻止してスライド片部６４Ｃを第２サンバイザ本体４０に対して前方に相対移動させるようになっている。
【００３４】
本実施形態では、図５に示される長孔３６、ピン４２、引張コイルスプリング６２、凸部３５Ｃ、長尺移動部材６４、スリット４４、貫通孔３４Ａ、ガイドレール３８、及び、当接面部５３Ａを含んで構成される連動機構部７０が連動手段とされており、連動機構部７０は、図４に示される第１サンバイザ本体３０の第２位置３０Ｙの方向への移動時に第１サンバイザ本体３０の移動に連動させて第２サンバイザ本体４０を第４位置４０Ｙへ移動させ、図３に示されるように、第１サンバイザ本体３０の第１位置３０Ｘの方向への移動時に第１サンバイザ本体３０の移動に連動させて第２サンバイザ本体４０を第３位置４０Ｘへ移動させるようになっている。
【００３５】
（実施形態の作用・効果）
次に、上記の実施形態の作用並びに効果を説明する。
【００３６】
図１に示される遮光用の第１サンバイザ本体３０は、格納時には、第１サンバイザ本体３０の第１位置３０Ｘと第２サンバイザ本体４０の第３位置４０Ｘとが、重なって配置され、引出時には、図２に示されるように、第２サンバイザ本体４０が、第１サンバイザ本体３０の第２位置３０Ｙと重なる位置から引出方向（矢印２０Ｙ方向）にずれる第４位置４０Ｙに配置される。
【００３７】
図１に示される第１サンバイザ本体３０及び第２サンバイザ本体４０を格納状態の配置位置（第１サンバイザ本体３０の第１位置３０Ｘ、及び、第２サンバイザ本体４０の第３位置４０Ｘ）から、図２に示される引出状態の配置位置（第１サンバイザ本体３０の第２位置３０Ｙ、及び、第２サンバイザ本体４０の第４位置４０Ｙ）へ移動させる際には、図示しないスイッチによって駆動モータ２４を正転方向に回転駆動させる。これにより、図３に示される駆動用シャフト２６に正転方向に回転力が伝わる。駆動用シャフト２６の正転方向の回転力は、ピニオン２８に伝わり、ピニオン２８は、ラック３１と噛み合いながら正転方向に回転する。その結果、図４に示されるように、第１サンバイザ本体３０は、ガイド５０のガイド部５４に沿って引出方向（矢印２０Ｙ方向）へスライド移動する。
【００３８】
ここで、第２サンバイザ本体４０に係止片部６４Ａが取り付けられた長尺移動部材６４は、スライド片部６４Ｃが第２サンバイザ本体４０に対して引出方向（矢印２０Ｙ方向）側及び格納方向（矢印２０Ｘ方向）側に相対移動可能となっているので、第１サンバイザ本体３０の第２位置３０Ｙの方向への移動時には、長尺移動部材６４の係止片部６４Ａ側が引出方向（矢印２０Ｙ方向）へ引出可能となる。また、引張コイルスプリング６２が第１サンバイザ本体３０に接続されて第２サンバイザ本体４０を引出方向（矢印２０Ｙ方向）へ付勢しているので、第１サンバイザ本体３０の第２位置３０Ｙの方向への移動時には、図７に示されるように、第２サンバイザ本体４０は、ピン４２が第１サンバイザ本体３０における長孔３６の前端部３６Ａに当るまで、引張コイルスプリング６２によって付勢されて第４位置４０Ｙ（略前方）へ移動する（第１サンバイザ本体３０から出現する）。このとき、長尺移動部材６４のスライド片部６４Ｃは、第１サンバイザ本体３０の上面部３４Ｂに沿って第１サンバイザ本体３０に対して後方へ相対移動する。なお、引出し状態では、引張コイルスプリング６２は、縮んだ状態にある。
【００３９】
一方、第１サンバイザ本体３０及び第２サンバイザ本体４０を、図４に示される引出状態の配置位置（第１サンバイザ本体３０の第２位置３０Ｙ、及び、第２サンバイザ本体４０の第４位置４０Ｙ）から、図３に示される格納状態の配置位置（第１サンバイザ本体３０の第１位置３０Ｘ、及び、第２サンバイザ本体４０の第３位置４０Ｘ）へ移動させる際には、図示しないスイッチによって駆動モータ２４を逆転方向に回転駆動させる。これにより、駆動用シャフト２６に逆転方向に回転力が伝わる。
【００４０】
駆動用シャフト２６の逆転方向の回転力は、ピニオン２８に伝わり、ピニオン２８は、ラック３１と噛み合いながら逆転方向に回転する。その結果、第１サンバイザ本体３０は、ガイド５０のガイド部５４に沿って格納方向（矢印２０Ｘ方向）へスライド移動する。
【００４１】
また、第１サンバイザ本体３０の第１位置３０Ｘの方向への移動時には、長尺移動部材６４のスライド片部６４Ｃが当接面部５３Ａに当り（接触し）、当接面部５３Ａがスライド片部６４Ｃの移動を阻止してスライド片部６４Ｃを第１サンバイザ本体３０及び第２サンバイザ本体４０に対して前方に相対移動させるので、長尺移動部材６４が引張コイルスプリング６２の付勢力に抗して第２サンバイザ本体４０を引っ張って第３位置４０Ｘへ移動させる。
【００４２】
なお、このとき、引張コイルスプリング６２は、引っ張られて伸び、格納状態では、第２サンバイザ本体４０を引出方向（矢印２０Ｙ方向）へ付勢する付勢力を発生させるが、ピニオン２８がラック３１と噛み合った状態で停止しているので、駆動モータ２４の停止中は、第２サンバイザ本体４０が引き出されることはない（第２サンバイザ本体４０の保持状態）。
【００４３】
以上により、連動機構部７０が、図４に示される第１サンバイザ本体３０の第２位置３０Ｙの方向への移動時に第１サンバイザ本体３０の移動に連動させて第２サンバイザ本体４０を第４位置４０Ｙへ移動させ、図３に示される第１サンバイザ本体３０の第１位置３０Ｘの方向への移動時に第１サンバイザ本体３０の移動に連動させて第２サンバイザ本体４０を第３位置４０Ｘへ移動させるので、簡単な構成により第２サンバイザ本体４０を第１サンバイザ本体３０の移動に連動させて適正な位置に配置させることができる。
【００４４】
また、引張コイルスプリング６２の付勢力（復元力）をスライド片部６４Ｃと当接面部５３Ａとの接触で制御することにより、上質な移動が可能となる。また、第１サンバイザ本体３０のみを駆動モータ２４で駆動することで（比較的小さい稼動域で）広い遮光範囲を確保することが可能になり、図４に示される第１サンバイザ本体３０及び第２サンバイザ本体４０をスムーズに引出し状態にある使用位置（第２位置３０Ｙ、第４位置４０Ｙ）へ設定することが可能となる。
【００４６】
（実施形態の補足説明）
なお、上記実施形態では、移動部材が長尺移動部材６４とされているが、移動部材は、例えば、アーム部材であって、第２サンバイザ本体に一方端部が第２サンバイザ本体の厚さ方向に延びる軸回りに回転可能に取り付けられ、中間部に長孔が貫通形成されると共に第１サンバイザ本体から突出された凸部がこの長孔内に挿入されることで中間部が第１サンバイザ本体に対して相対移動可能に支持され、他方端部が一方端部を回転中心として第２サンバイザ本体に対して引出方向側及び格納方向側に相対移動可能とされるようなアーム部材等のような他の移動部材であってもよい。また、例えば、前記例における前記アーム部材の他方端部が付勢手段の他端部と接続され、第２サンバイザ本体に装置前後方向に延びる長孔が貫通形成されると共にこの長孔内に第１サンバイザ本体から突出された凸部が挿入されてもよい。
【００４７】
また、上記実施形態では、付勢手段が引張コイルスプリング６２とされているが、付勢手段は、ゴム紐等の他の付勢手段としてもよい。
【００４８】
さらに、上記実施形態では、移動阻止手段が当接面部５３Ａとされているが、移動阻止手段は、例えば、第１サンバイザ本体の第１位置の方向への移動時に移動部材の他方端部と係合して他方端部の移動を阻止して他方端部を第２サンバイザ本体に対して相対移動させる係合凹部等のような他の移動阻止手段であってもよい。
【００４９】
さらにまた、上記実施形態では、第１サンバイザ本体３０及び第２サンバイザ本体４０は、平板状（側面視で直線状）とされているが、第１サンバイザ本体及び第２サンバイザ本体は、側面視で円弧状等のような曲面状としてもよい。
【００５０】
なお、上記実施形態では、第２サンバイザ本体４０のピン４２が第１サンバイザ本体３０の長孔３６に沿って移動可能とされているが、長孔３６の部分を長溝に置き換えたような構成としてもよい。
【図面の簡単な説明】
【００５１】
【図１】本発明の実施形態に係るサンバイザ装置が配置される運転席上方における車両天井部を示す概略垂直端面図である（サンバイザ装置は、格納状態にあり、図３の１−１線断面に対応する。）。
【図２】本発明の実施形態に係るサンバイザ装置が配置される運転席上方における車両天井部を示す概略垂直端面図である（サンバイザ装置は、引出状態にあり、図４の２−２線断面に対応する。）。
【図３】本発明の実施形態に係るサンバイザ装置の格納状態を示す斜視図である。
【図４】本発明の実施形態に係るサンバイザ装置の引出状態を示す斜視図である。
【図５】本発明の実施形態に係るサンバイザ装置の分解斜視図である。
【図６】本発明の実施形態に係るサンバイザ装置の第１サンバイザ本体及び第２サンバイザ本体の格納状態を示す斜視図である。
【図７】本発明の実施形態に係るサンバイザ装置の第１サンバイザ本体及び第２サンバイザ本体の引出状態を示す斜視図である。
【符号の説明】
【００５２】
２０    サンバイザ装置
２０Ｘ  格納方向
２０Ｙ  引出方向
３０    第１サンバイザ本体
３０Ｘ  第１位置
３０Ｙ  第２位置
４０    第２サンバイザ本体
４０Ｘ  第３位置
４０Ｙ  第４位置
５３Ａ  当接面部（移動阻止手段）
６２    引張コイルスプリング（付勢手段）
６２Ａ  一端部
６４    長尺移動部材（移動部材）
６４Ａ  係止片部（一方端部）
６４Ｂ  テープ部（中間部）
６４Ｃ  スライド片部（他方端部）
７０    連動機構部（連動手段）
【図１】
0004730213.tif 000002
【図２】
0004730213.tif 000003
【図３】
0004730213.tif 000004
【図４】
0004730213.tif 000005
【図５】
0004730213.tif 000006
【図６】
0004730213.tif 000007
【図７】
0004730213.tif 000008